(57)【特許請求の範囲】
【請求項１】
周囲に複数の図柄が付された回転リールと、
回転リールの回転を開始させるためのスタートスイッチと、
回転リールの回転を停止させるためのストップスイッチと、
予め貯留した遊技媒体の内部投入が可能なベットスイッチと、
遊技を制御する制御装置とを備え、
遊技媒体の直接投入又は内部投入により遊技の開始を可能とし、スタートスイッチの操作を条件として回転リールの回転を開始させ、複数の役のいずれかに当選か又はハズレかの役抽選を行い、その抽選の結果及びストップスイッチの操作に基づいて回転リールの回転を停止させ、当選した役に係る図柄の組み合わせが揃ったか否かの判定を行い、その判定の結果に応じて所定の利益を遊技者に付与する又は付与しないことで１回の遊技が終了するようにした遊技機であって、
制御装置は、
遊技を進行させることができないフリーズ状態を、所定時間（以下、「フリーズ時間」とする）、実行するフリーズ制御手段を備え、
フリーズ時間は、予め定めた最低時間以上であって、この最低時間を超える予め定めた最大限度時間以下に設定可能に形成され、
フリーズ制御手段は、フリーズ状態を実行する際には、予め定めた最低時間はフリーズ状態を必ず実行するとともに、フリーズ時間中に所定のスイッチの操作により、予め定めた最大限度時間内でフリーズ時間を延長可能に形成すると共に、
この延長された延長時間中に所定のスイッチの操作により、予め定めた最大限度時間内でフリーズ時間を更に延長可能とし、
前記操作によるフリーズ時間の延長を予め定めた最大限度時間内で繰り返し可能としたことを特徴とする遊技機。
【請求項２】
最大限度時間として、時間の異なるものを予め複数、設けてあるとともに、その複数の最大限度時間のうち、いずれの最大限度時間を用いるかを抽選により決定することを特徴とする請求項１に記載の遊技機。
【請求項３】
遊技機には表示装置が設けられ、
フリーズ時間中に、表示装置で演出を実行可能な演出制御手段を有し、
演出制御手段は、フリーズ状態の最低時間に対応して演出を実行するとともに、フリーズ制御手段によりフリーズ時間が延長された場合には、最低時間までの演出よりも遊技者に有利な情報を含む演出を実行可能としたことを特徴とする請求項１又は２に記載の遊技機。
【発明の詳細な説明】
【技術分野】
【０００１】
本発明は、スタートスイッチの操作によって複数の回転リールを回転させた後、遊技者がストップスイッチを操作して、所定の図柄の組合せを示す位置に回転リールを停止表示させることができた場合に、所定枚数のメダルが遊技者に払い出される等の所定の特典を付与可能な遊技機に関する。
【背景技術】
【０００２】
従来、この種の遊技機としては、複数の回転リールを回転させた後、ストップスイッチにより停止させる遊技を行う、例えば、スロットマシンが一般に知られている。そして、そのような遊技機では、遊技の興趣を高めるべく、液晶表示装置や、多数のランプや、スピーカ等の報知手段を介して、抽選結果に対応して、また、当選図柄が停止表示した場合等に、画像や音や光等による種々の演出が行われている。また、遊技者に報知する手段として、遊技を進行させることができないフリーズ状態を発生させるものがある。具体的には、例えば、スタートスイッチを操作しても回転リールの回転を開始させず、その間、液晶表示装置等に所定の演出等を表示させるようなものである。そして、そのフリーズ状態の間、遊技者はなにもせずに待つだけで面白みに欠けるため、近年、遊技進行に関係ない操作スイッチを連打させて、その連打回数により、報知態様や遊技状態等を変化させ、或いは所定の特典を付与する等の遊技者参加型のフリーズ演出を取り入れるものがある（例えば、特許文献１。）。
【０００３】
この従来技術では、フリーズ期間中に所定の操作を行うことで、フリーズ期間が解除される。そして、操作されない場合には、時間経過によってフリーズ期間が解除されることが記載されている。
【先行技術文献】
【特許文献】
【０００４】
【特許文献１】特開２００９−２８５１７３号公報
【発明の概要】
【発明が解決しようとする課題】
【０００５】
しかし、上記したような従来の遊技機では、フリーズ状態の時間延長が遊技者の意思を直接的に反映し難いので、フリーズ状態の時間延長の是非について遊技者の意思が更に反映されるとともに、フリーズ状態が遊技者にさらに有意義なものとなるようにしたい、という要望がある。
そこで、各請求項にそれぞれ記載された各発明は、上記した背景技術の有する問題点に鑑みてなされたものであり、その目的とするところは、フリーズ状態の時間延長の是非について遊技者の意思がより強く反映されるとともに、フリーズ状態が遊技者にとってさらに有意義なものとなる遊技機を提供することである。
【課題を解決するための手段】
【０００６】
（請求項１）
請求項１記載の発明に係る遊技機(10)は、周囲に複数の図柄(61)が付された回転リール(40)と、回転リール(40)の回転を開始させるためのスタートスイッチ(30)と、回転リール(40)の回転を停止させるためのストップスイッチ(50)と、予め貯留した遊技媒体の内部投入が可能なベットスイッチ(16)と、遊技を制御する制御装置(20)とを備えている。
そして、遊技媒体の直接投入又は内部投入により遊技の開始を可能とし、スタートスイッチ(30)の操作を条件として回転リール(40)の回転を開始させ、複数の役のいずれかに当選か又はハズレかの役抽選を行い、その抽選の結果及びストップスイッチ(50)の操作に基づいて回転リール(40)の回転を停止させ、当選した役に係る図柄(61)の組み合わせが揃ったか否かの判定を行い、その判定の結果に応じて所定の利益を遊技者に付与する又は付与しないことで１回の遊技が終了するように形成されている。
【０００７】
そして、制御装置(20)は、遊技を進行させることができないフリーズ状態を、所定時間（以下、「フリーズ時間」とする）、実行するフリーズ制御手段(170)を備えている。
そして、フリーズ時間は、予め定めた最低時間以上であって、この最低時間を超える予め定めた最大限度時間以下に設定可能に形成されている。
そして、フリーズ制御手段(170)は、フリーズ状態を実行する際には、予め定めた最低時間はフリーズ状態を必ず実行するとともに、フリーズ時間中に所定のスイッチの操作により、予め定めた最大限度時間内でフリーズ時間を延長可能としたことを特徴とする。
【０００８】
更に、延長された延長時間中に所定のスイッチの操作により、予め定めた最大限度時間内でフリーズ時間を更に延長可能とし、前記操作によるフリーズ時間の延長を予め定めた最大限度時間内で繰り返し可能としたことを特徴とする。
（請求項２）
請求項２記載の発明は、上記した請求項１に記載の発明の特徴点に加え、次の点を特徴とする。すなわち、最大限度時間として、時間の異なるものを予め複数、設けてあるとともに、その複数の最大限度時間のうち、いずれの最大限度時間を用いるかを抽選により決定することを特徴とする。
【０００９】
（請求項３）
請求項３記載の発明は、上記した請求項１又は２に記載の発明の特徴点に加え、次の点を特徴とする。すなわち、遊技機(10)には表示装置(68)が設けられ、フリーズ時間中に、表示装置(68)で演出を実行可能な演出制御手段(240)を有している。
そして、演出制御手段(240)は、フリーズ状態の最低時間に対応して演出を実行するとともに、フリーズ制御手段(170)によりフリーズ時間が延長された場合には、最低時間までの演出よりも遊技者に有利な情報を含む演出を実行可能としたことを特徴とする。
【発明の効果】
【００１０】
本発明は、以上のように構成されているので、以下に記載されるような効果を奏する。
（請求項１）
請求項１記載の発明によれば、フリーズ状態を実行する際には、予め定めた最低時間はフリーズ状態を必ず実行する。これにより、フリーズ状態を実行する際には、その最低時間に関しては何人にも公平にフリーズ状態を発生させることができる。フリーズ時間中に所定のスイッチの操作により、予め定めた最大限度時間内でフリーズ時間を延長可能とした。これにより、遊技者がフリーズ状態の延長を望まない場合には、前記スイッチを操作しないことを選択すれば、フリーズ時間が延長されることがなくなる。また、遊技者がフリーズ状態の延長を望む場合には、前記スイッチを操作することを選択することで、予め定めた最大限度時間内でフリーズ時間を延長することができる。また、延長された場合であっても、最大限度時間内に設定されているため、延長しない遊技者との間に極端な時間差を発生させることがなく、一定の範囲内で遊技を進行させることができる。
【００１１】
なお、かかるフリーズ時間に伴って、所定の演出を実行することにより、遊技者にとって有益な情報を提示したり、遊技者を楽しませる娯楽性に優れたものを実行すれば、フリーズ状態が遊技者にとってさらに有意義なものとなる。
更に、請求項１記載の発明は、より段階的に遊技者がフリーズ時間を延長させるか否かを選択することができる。
（請求項２）
請求項２記載の発明によれば、請求項１に記載の発明の効果に加えて、最大限度時間として、時間の異なるものを予め複数、設けて、そのうちのいずれの最大限度時間を用いるかを抽選により決定することにより、フリーズ時間の最大限度時間に意外性を付与することができる。
【００１２】
（請求項３）
請求項３記載の発明によれば、請求項１又は２に記載の発明の効果に加えて、フリーズ時間中、表示装置で演出が実行される。これにより、遊技者にとって有益な情報を提示したり、遊技者を楽しませる娯楽性に優れたものを実行することが可能となり、フリーズ状態が遊技者にとってさらに有意義なものとなる。
また、フリーズ時間が延長された場合には、最低時間までの演出よりも遊技者に有利な状態を含む演出が実行可能としたことにより、フリーズ時間を延長させる意義や楽しみが増え、延長されたフリーズ状態が遊技者にとってさらに有意義なものにすることができる。
【図面の簡単な説明】
【００１３】
【図１】本発明の第１の実施の形態であって、遊技機を示す外観正面図である。
【図２】本発明の第１の実施の形態であって、リールユニットの一部を示す外観斜視図である。
【図３】本発明の第１の実施の形態であって、リールユニットの一部を示す縦断面図である。
【図４】本発明の第１の実施の形態であって、遊技機の入力、制御及び出力を示すブロック図である。
【図５】本発明の第１の実施の形態であって、回転リールのリールテープの図柄の一部を示す概略図である。
【図６】本発明の第１の実施の形態であって、役の内容を示す概略図である。
【図７】本発明の第１の実施の形態であって、有効ラインを示す外観正面図である。
【図８】本発明の第１の実施の形態であって、有効ラインを示す外観正面図である。
【図９】本発明の第１の実施の形態であって、スイッチ操作の有無によるフリーズ時間の変化を示す概念図である。
【図１０】本発明の第１の実施の形態であって、通常遊技のフローである。
【図１１】本発明の第１の実施の形態であって、フリーズ処理のフローである。
【図１２】本発明の第２の実施の形態であって、スイッチ操作の有無及びその回数によるフリーズ時間の変化を示す概念図である。
【図１３】本発明の第２の実施の形態であって、演出内容を示すテーブルである。
【図１４】本発明の第２の実施の形態であって、演出内容を示すテーブルである。
【図１５】本発明の第２の実施の形態であって、フリーズ処理のフローである。
【図１６】本発明の第３の実施の形態であって、スイッチ操作の有無及びその回数によるフリーズ時間の変化を示す概念図である。
【図１７】本発明の第３の実施の形態であって、フリーズ処理のフローである。
【図１８】本発明の第４の実施の形態であって、スイッチ操作の有無及びその回数によるフリーズ時間の変化を示す概念図である。
【図１９】本発明の第４の実施の形態であって、フリーズ処理のフローである。
【発明を実施するための形態】
【００１４】
（第１の実施の形態）
（遊技機10の概要）
本明細書において、「前面」は、遊技機において遊技を行う際に遊技者が向き合う面をいい、「背面」は、かかる遊技者から見た場合の「前面」の反対側の面であり、また、「左」や「右」等の左右方向も、かかる遊技機の前面の方を向いて位置している者から見た場合の左側や、右側を意味する。
図１に示すように、本実施の形態に係る遊技機としてのスロットマシンであって、正面に向かって開口する正面開口部を有する四角箱状の筐体11と、この筐体11の正面開口部を開閉自在に塞ぐ前扉14とを有する。前記前扉14は、正面開口部の上部を開閉自在に塞ぐ上扉3と、正面開口部の下部を開閉自在に塞ぐ下扉4とを備えている。
【００１５】
また、前扉14の上部には、上パネル12aを備え、前扉14の下部には、下パネル12bを備え、前扉14の前面における、上パネル12aと下パネル12bとの間には、前方へ向けて突出する操作部12cを備えている。
前記上扉3には、遊技者側に向かって臨む略四角窓状の上パネル12aが形成されている。そして、この上パネル12aの略中央には、三個の回転リール40の円周に貼付したリールテープ42上の図柄61、いわゆる停止図柄61を見ることができる表示窓13が形成されている。この表示窓13は、３個全ての回転リール40の回転が停止した際には、縦３列横３行に配置した合計９個の図柄を遊技者に見せるように形成されている。
【００１６】
前記表示窓13の奥には、３個の駆動モータによって図柄表示手段としての回転リール40を回転させるためのリールユニット60が配置されてある。前記回転リール40は、左端側に位置する左リール43と、右端側に位置する右リール45と、この左リール43及び右リール45の間に位置する中リール44とからなる。
そして、遊技機10の前面側には、横方向や、斜め方向等に３個の回転リール40の各３個の所定図柄の停止位置を結んだ所定本数のラインが形成されている。本実施の形態では、ラインとして、上段の３個の図柄を通る上段ラインＬ１と、中段の３個の図柄を通る中段ラインＬ２と、下段の３個の図柄を通る下段ラインＬ３と、左下、中央、右上の３個の図柄を通る右上りラインＬ４と、左上、中央、右下の３個の図柄を通る右下りラインＬ５とが設けられている。
【００１７】
前記前扉14には、遊技者に役抽選の当選等を音や光や映像で報知させる報知手段66が形成されてあり、この報知手段66は、上下左右のスピーカー67と、上パネル12aの上部中央に配置された液晶表示装置68と、上パネル12aの周囲縁に配置された報知ランプ69とを備えている。
前記下扉4には、操作部12cの右側に位置してメダルを投入するためのメダル投入口18と、操作部12cの左側に位置して貯留メダル数を減じてメダル投入に代えるベットスイッチ16と、このベットスイッチ16の左側に位置してクレジットしたメダルを払い出すための精算スイッチ17と、操作部12cの左側に位置してメダルの投入若しくはベットスイッチ16の投入を条件に回転リール40の回転を開始させるための変動表示開始手段31としてのスタートスイッチ30と、操作部12cの略中央に位置して操作により対応する回転リール40の回転を停止させるための変動表示停止手段51としてのストップスイッチ50とを備えている。
【００１８】
なお、左リール43に対応するためのストップスイッチ50が左ストップスイッチ50aであり、中リール44に対応するためのストップスイッチ50が中ストップスイッチ50bであり、右リール45に対応するためのストップスイッチ50が右ストップスイッチ50cである。
なお、本遊技機10は、メダル投入口18からメダルを投入すると、最大で５０枚のメダルを遊技機10内部に貯留する（クレジットする）ことが可能に形成されている。そして、この貯留（クレジット）したメダルを、ベットスイッチ16の押下操作によって、遊技開始の条件としてのメダル投入に代えることができる。
前記下扉4の奥には、いわゆるホッパーユニットであって、メダルを貯留することができるとともに、メダルを払い出すことができる貯留払い出し手段65と、電源投入又は電源遮断のための操作が可能な電源スイッチ6を有すると共に各部品に電力を供給するための電源装置5とが配置されている。
【００１９】
そして、下扉4の下部には、所定の役の図柄が有効ライン上に表示された場合に、貯留払い出し手段65からメダルが払い出される払い出し口32が形成され、この払い出し口32の下方には、払い出し口32から払い出されたメダルを貯留するため、上方に向かって開口する皿状の払い出し皿33が形成されている。
本実施の形態に係る遊技機10は、原則として、ベットスイッチ16操作又はメダル投入後のスタートスイッチ30の押下により、回転リール40の回転を開始すると共に、役抽選を行い、各回転リール40のストップスイッチ50の押下タイミング及び役抽選の結果に基づいて、回転リール40の回転を役抽選の結果に適合するように停止させ、停止時の図柄の組み合わせによって、当選した役の所定図柄が有効ライン上に停止表示された場合に、所定枚数のメダルを払い出す等の所定の特典（利益）を遊技者に付与するスロットマシンである。
【００２０】
（リールユニット60）
前記リールユニット60は、横並びに設けた３個の回転リール40と、各回転リール40を回転させるためのものであって各回転リール40にそれぞれ対応している駆動モーターとしてのステッピングモーター64と、遊技制御装置21からのパルス信号が入力されることでステッピングモーター64を回転駆動させるためのモータードライバ62と、回転リール40の回転位置を検知するための回転位置検知装置46と、これらを支持する支持部材49とを備えている。
回転リール40は、２１個の図柄を周囲に均等に配列した筒状のものである。そして、各回転リール40は、合成樹脂からなる回転ドラムと、この回転ドラムの周囲に貼付されるとともに、複数個（２１個）の図柄61が表示されているテープ状のリールテープ42とを備えている。
【００２１】
前記回転位置検知装置46は、回転リール40の回転ドラムから横方向に突出している突出片状のインデックス47と、回転リール40の周囲の支持部材49から突出するとともにインデックス47の通過を光センサーの遮断によって検知するためのインデックスセンサ48とを備えている。
そして、駆動モーターによる回転を開始した後、前記インデックス47をインデックスセンサ48により検知してからの回転角度を認識することで、後述する回転位置判断手段161により現在位置を特定し、その後、所定角度で停止させることが可能となる。このインデックスセンサ48は、内部に光センサーを有するとともに、全体形状が、略コ字状であって、一端に発光素子（ＬＥＤ）が配置され、他端に受光素子（フォトトランジスタ）が配置され、そのコ字状の内部を、突出片状のインデックス47が移動することにより、発光素子からの光が遮断され、インデックス47が通過したタイミングを検知可能なものである。
【００２２】
前記モータードライバ62には、遊技制御装置21からの制御信号としてのパルス信号が入力されることにより、ステッピングモータ64を回転駆動させるように形成されている。
更に、具体的には、このステッピングモータ64は、５０４個のステップで、３６０度、すなわち１周するように設定されている。そして、モータドライバ62に１パルスの制御信号が入力されることにより、ステッピングモータ64が１ステップ角（具体的には、３６０／５０４度）だけ、回転するように設定されている。すなわち、５０４パルスの制御信号がモータドライバ62に入力されることにより、ステッピングモータ64は、３６０度、すなわち１回転するものである。回転リール40の周囲には、２１個の図柄が配置されているため、２４パルスの制御信号がモータドライバ62に入力されると、ステッピングモータ64は２４ステップ移動し、１図柄分だけ回転移動するように設定されている。
【００２３】
本実施の形態では、回転リール40の回転速度を変更しているが、これは、単位時間当たりのステップ数を変更することにより、回転リール40の回転速度を、後述する回転制御手段150により調整可能に形成されている。
（制御装置20）
図４に示すように、遊技機10の内部には、遊技機10の全体の動作を制御するための制御装置20が形成されている。前記制御装置20は、図示しないが、ＣＰＵを中心に構成され、ＲＯＭ、ＲＡＭを備えている。そして、ＲＯＭに記憶されたデータやプログラムを、ＲＡＭが読み込むことで、動作可能に形成されている。
【００２４】
前記制御装置20の入力段には、上述したベットスイッチ16、スタートスイッチ30、ストップスイッチ50及び精算スイッチ17が接続され、出力段には、上述した貯留払い出し手段65、リールユニット60及び報知手段66が接続されている。
前記制御装置20は、遊技を進行させて遊技状態を制御する遊技制御装置21（主基板23）と、この遊技制御装置21からの信号を受けて、遊技の演出を行うために演出状態を制御する演出制御装置22（サブ基板24）とを備えている。ここで、遊技制御装置21と演出制御装置22との間における信号の送受信は、遊技制御装置21における役抽選に関するデータ等の内部データの信頼性を担保すべく、一方通行となるように形成されている。すなわち、遊技制御装置21から演出制御装置22に向かってのみ信号が出力され、演出制御装置22から遊技制御装置21に向かっていかなる信号も出力されないように形成されている。
【００２５】
（遊技制御装置21）
前記遊技制御装置21は、スタートスイッチ30の遊技者による操作により、乱数抽選を行い、ストップスイッチ50の操作により、その抽選結果を反映させた回転リール40の回転及び停止を制御するためのものである。
前記遊技制御装置21は、遊技制御手段27と、役抽選手段110と、フリーズ演出抽選手段120と、最大限度時間抽選手段260と、回転制御手段250と、ウェイト制御手段190と、停止制御手段130と、停止図柄判定手段140と、計時手段150と、回転位置判断手段161と、フリーズ制御手段170とを備えている。
【００２６】
なお、本スロットマシンにより行う遊技は、一般的（通常）に行われる通常遊技と、ボーナス遊技と呼ばれて同一の遊技回数を基準として遊技期間で比較した場合に、この通常遊技よりも遊技者に大きな利益を付与可能な特別遊技とを備えている。この特別遊技は、通常遊技中に予め定めた所定の役の図柄を有効ライン上に表示させたことにより移行すると共に通常遊技よりも単位時間あたりの獲得可能なメダル数が多くなることが可能に形成されている。この特別遊技は、具体的には、所定枚数までのメダルの獲得が可能なＢＢ遊技（ビッグボーナス遊技）やＲＢ遊技（レギュラーボーナス遊技）を備えている。
ここで、「役」とは、原則として図柄の組み合わせにより構成されるもので、予め定めた図柄の組み合わせを意味するものであって、例えば、左、中、右の回転リール40の停止図柄が、それぞれ７、７、７のように、通常、回転リールに表示される図柄を、３つ揃えた形が基本形となる。但し、チェリーのように、３つ揃わなくとも、例えば、左リール43のように特定の回転リールにチェリー図柄が停止して、残りの２つの回転リール40にはいずれの図柄でもよい役もある。なお、役の構成は、遊技機10の前面側（図示せず）に表示されている。
【００２７】
そして、前記通常遊技制御手段70は、通常遊技を行わせるために通常遊技に関する制御を行うものであり、前記特別遊技制御手段80は、特別遊技を行わせるために特別遊技に関する制御を行う。
（通常遊技制御手段70）
通常遊技制御手段70は、通常遊技を制御するものである。
以下、遊技機10における通常遊技について説明する。１回の遊技につき、遊技媒体としてのメダルを３枚ベットすることが可能である。３枚のメダルをベットすると、５本全てのラインが有効になる。なお、３枚投入だけしか有効にならない３枚専用機とすることもできる。そして、有効になったラインを、以下、「有効ライン」と称する。また、メダルのベットには、メダル投入口18からメダルを投入することによるベットと、ベットスイッチ16を操作することによるクレジットされているメダルのベットとがある。また、再遊技のときには、前回の遊技でベットした枚数と同数のメダルが自動的にベットされる。また、３枚のメダルのベットを条件に、遊技を開始することが可能となり、スタートスイッチ30を操作すると、複数の役のいずれかに当選か又はハズレかの役抽選が行われるとともに、３個すべての回転リール40の回転が開始する。その後、３個すべての回転リール40の回転が所定の定常速度になって定常回転するようになると、３個すべてのストップスイッチ50が有効になり、ストップスイッチ50の操作が有効になる。そして、３個のストップスイッチ50のうちの１個を操作すると、当該ストップスイッチ50に対応した回転リール40の回転が停止する。そして、３個すべてのストップスイッチ50の操作を終えると、３個すべての回転リール40の回転が停止する。このとき、いずれかの有効ライン上に、役抽選で当選した役に対応する図柄の組み合わせが停止表示されると、当該役に応じた枚数のメダルを獲得できる。また、獲得したメダルは、クレジットされ、クレジット数が上限値に達したときには、貯留払い出し手段65が駆動して、上限値を超えた分が払い出し口32から払い出される。また、メダルの獲得に代えて、あるいはメダルの獲得とともに、遊技者に対して所定の利益が付与されることもある。
【００２８】
ここで、役には、有効ライン上に所定の図柄の組み合わせが停止表示されることにより、メダルが払い出される小役と、有効ライン上に所定の図柄の組み合わせが停止表示されることにより、メダルの払い出しはないがメダルを新たに投入することなく前回の遊技と同じ条件で再度遊技を行うことができる再遊技役と、有効ライン上に所定の図柄の組み合わせが停止表示されることにより、メダルの払い出しはないが特別遊技へ移行するボーナス役とがある。
具体的には、図６に示すように、小役には、プラム役と、ベル役と、チェリー役と、有利遊技移行役と、いわゆる３択役（３択青７役、３択役白７役、３択役赤７役）とがある。たとえば、プラム役、ベル役、及びチェリー役のうちプラム役は、「プラム」「プラム」「プラム」の図柄の組み合わせにより構成され、また、たとえば、チェリー役は、「チェリー」「ＡＮＹ」「ＡＮＹ」（「ＡＮＹ」は、いずれの図柄であってもよいことを意味する。）の図柄の組み合わせにより構成される。そして、役を構成する図柄の組み合わせがいずれかの有効ライン上に停止表示されることにより、当該役に応じた所定枚数のメダルが払い出される。たとえば、「ベル」「ベル」「ベル」の図柄の組み合わせがいずれかの有効ライン上に停止表示されることにより、ベル役に応じた所定枚数（たとえば１５枚）のメダルが払い出される。
【００２９】
また、有利遊技移行役は、後述する役抽選手段110による役抽選により当該役に当選することで、後述する有利遊技へ移行することが決定されるとともに、有効ライン上に所定の図柄の組み合わせが停止表示されることにより、メダルが払い出されるものである。有利遊技移行役は、図６に示すように、「赤７」「リプレイ」「リプレイ」の図柄の組み合わせにより構成される。なお、リプレイ図柄は２重丸の中に大文字Ｒからなる。そして、役抽選手段110による役抽選により当該役に当選することで、有利遊技へ移行することが決定されるとともに、有効ライン上にこの図柄の組み合わせが停止表示されることにより、所定枚数（たとえばプラム役の場合、９枚）のメダルが払い出される。なお、有利遊技移行役は、後述するビッグボーナスゲーム中においてのみ抽選される役である。
【００３０】
また、再遊技役は、図６に示すように、「リプレイ」「リプレイ」「リプレイ」の図柄の組み合わせにより構成される。そして、いずれかの有効ライン上にこの図柄の組み合わせが停止表示されることにより、メダルを新たに投入することなく前回の遊技と同じ条件で再度遊技を行うことができる。
また、図６に示すように、ボーナス役には、ＢＢ役と、ＲＢ役とがある。ＢＢ役は、「赤７」「赤７」「赤７」の図柄の組み合わせにより構成される。そして、有効ライン上にこの図柄の組み合わせが停止表示されることにより、後述するビッグボーナスゲームへ移行する。また、ＲＢ役は、「ＢＡＲ」「ＢＡＲ」「ＢＡＲ」の図柄の組み合わせにより構成される。そして、有効ライン上にこの図柄の組み合わせが停止表示されることにより、後述するレギュラーボーナスゲームへ移行する。
【００３１】
なお、本実施の形態では、ボーナス役は、メダルの払い出しを行うことなく、特別遊技へ移行するようになっているが、所定枚数（たとえば１５枚）のメダルを払い出した後に、特別遊技へ移行するように設定してもよい。
（特別遊技制御手段80）
特別遊技とは、遊技者にとって通常遊技よりも有利な遊技をいい、特別遊技制御手段80は、特別遊技を制御するものである。
特別遊技としては、ビッグボーナスゲーム（ＢＢゲーム）と、レギュラーボーナスゲーム（ＲＢゲーム）とがある。ＢＢゲームとは、所定の役の当選確率が通常遊技よりも高い遊技を複数回実行可能な遊技であって、所定枚数（たとえば３６９枚）のメダルの払い出しにより終了する遊技である。また、ＲＢゲームとは、ＢＢゲームと同じく、所定の役の当選確率が通常遊技よりも高い遊技を複数回実行可能な遊技であって、ＢＢゲームよりも少ない所定枚数（たとえば９９枚）のメダルの払い出しにより終了する遊技である。
【００３２】
また、本実施の形態では、特別遊技制御手段80は、特別遊技（ＢＢゲーム及びＲＢゲーム）中のメダルの払い出し枚数をカウントする払出枚数カウンタを有している。
具体的には、通常遊技において、役抽選によりＢＢ役に当選すると、いずれかの有効ライン上に、ＢＢ役に対応する「赤７」「赤７」「赤７」の図柄の組み合わせが当選した役に応じて揃い得るようになり、「赤７」「赤７」「赤７」の図柄の組み合わせが揃い、停止表示されると、ＢＢゲームへ移行する。
ＢＢゲームへ移行すると、役抽選で所定の役に当選する確率が通常遊技中よりも高くなるとともに、２枚のメダルのベットにより遊技が開始可能となり、図８に示すように、有効ラインが中段ラインのみとなる。そして、有効ライン（中段ライン）上に、当選した役に対応する図柄の組み合わせが停止表示されると、当該役に応じた所定枚数のメダルが払い出されるとともに、払出枚数カウンタにより払い出されたメダルの枚数がカウントされる。
【００３３】
そして、ＢＢゲーム中のメダルの累計払い出し枚数が所定枚数（例えば３６９枚）に達すると、ＢＢゲームは終了して、通常遊技または後述する有利遊技へ移行する。
また、通常遊技において、役抽選によりＲＢ役に当選すると、いずれかの有効ライン上に、ＲＢ役に対応する「ＢＡＲ」「ＢＡＲ」「ＢＡＲ」の図柄の組み合わせが揃い得るようになり、「ＢＡＲ」「ＢＡＲ」「ＢＡＲ」の図柄の組み合わせが揃い、停止表示されると、ＲＢゲームへ移行する。
ＲＢゲームへ移行すると、ＢＢゲームと同様の遊技が行われる。そして、有効ライン（中段ライン）上に、当選した役に対応する図柄の組み合わせが停止表示されると、当該役に応じた所定枚数のメダルが払い出されるとともに、払出枚数カウンタにより払い出されたメダルの枚数がカウントされる。
【００３４】
そして、ＲＢゲーム中のメダルの累計払い出し枚数が所定枚数（例えば９９枚）に達すると、ＲＢゲームは終了して、通常遊技へ移行する。
なお、本実施の形態では、特別遊技（ＢＢゲーム及びＲＢゲーム）は、所定枚数のメダルの払い出しにより終了するものであるが、特別遊技の終了条件としては他の条件（たとえば遊技回数）を設定することもできる。
また、払出枚数カウンタによるカウントは、カウントアップによる方法でもカウントダウンによる方法でもよい。
（役抽選手段110）
役抽選手段110は、スタートスイッチ30の操作を契機に、複数の役のいずれかに当選か又はハズレかの役抽選を行うものである。役抽選手段110は、乱数発生手段と、乱数抽出手段と、役抽選テーブルと、判定手段とを備えている。
【００３５】
乱数発生手段は、役抽選用の乱数を、所定の範囲内（例えば、１０進数で０〜６５５３５）で発生させるものである。また、乱数抽出手段は、乱数発生手段が発生させた乱数を、所定の契機（たとえば、スタートスイッチ30の操作）で抽出するものである。なお、乱数発生手段は、カウンタ回路などによって構成されるため、乱数発生手段が発生させる数値は、厳密には乱数ではない。ただ、スタートスイッチ30が操作されるタイミングは、ランダムであると考えられるため、乱数抽出手段が抽出する数値は、実質的には乱数として取り扱うことができる。
また、役抽選テーブルは、乱数発生手段が発生させる範囲内の各乱数について、複数の役のいずれかに当選か又はハズレかをあらかじめ定めたものである。本実施の形態では、役抽選テーブルには、通常遊技および後述する有利遊技において用いられる一般役抽選テーブルと、ＢＢゲームおよびＲＢゲームにおいて用いられる特別役抽選テーブルとがある。それらの抽選テーブルには、当選の領域と、ハズレの領域とが設定されている。なお、当選の領域としては、１つの役にのみ当選する単独当選領域の他に、複数の役に同時に当選する重複当選領域を設定することもできる。（なお、かかる重複当選領域を設定するような場合には、役抽選手段110による役抽選で、複数の役に重複当選すると、当選した複数の役それぞれに対応する当選フラグが成立する。そして、このフラグの成立中に、いずれかの有効ライン上に、役抽選で当選した役に対応する図柄の組み合わせが停止表示されると、遊技者に対して、メダルの払い出しや、特別遊技等の利益が付与される。）
また、判定手段は、乱数抽出手段が抽出した乱数と、役抽選テーブルとを照合して、複数の役のいずれかに当選か又はハズレかの判定を行うものである。具体的には、判定手段は、複数の役のいずれかに当選か又はハズレかの判定を行う際に、その時点における遊技状態に対応する役抽選テーブルを適宜用いて、当該判定を行うものとなっている。
【００３６】
そして、役抽選手段110による役抽選で、いずれかの役に当選すると、当選した役に対応する当選フラグが成立する。
ここで、当選フラグには、役抽選手段110による抽選結果が、小役の当選である場合に成立する小役当選フラグ（プラム当選フラグ、ベル当選フラグ、チェリー当選フラグ、３択役青７当選フラグ、３択役白７当選フラグ、３択役赤７当選フラグ、及び有利遊技移行当選フラグ）と、役抽選手段110による抽選結果が、再遊技役の当選である場合に成立する再遊技当選フラグと、役抽選手段110による抽選結果が、ボーナス役の当選である場合に成立するボーナス当選フラグ（ＢＢ当選フラグ及びＲＢ当選フラグ）とがある。
【００３７】
そして、小役当選フラグ、及び再遊技当選フラグは、成立した遊技においてのみ有効となるものの、ボーナス当選フラグは、次の遊技へ持ち越すことができるものとなっており、当選したボーナス役に対応する図柄の組み合わせがいずれかの有効ライン上に停止表示されることにより消去されるものとなっている。
（フリーズ演出抽選手段120）
フリーズ演出抽選手段120は、スタートスイッチ30の操作を契機に、ストップスイッチ50等のスイッチの操作ができずに遊技の進行ができないようにするフリーズ状態を発生させるか否か、いわゆるフリーズ演出（フリーズ状態）を実行するか否かの抽選を行うものである。フリーズ演出抽選手段120は、乱数発生手段と、乱数抽出手段と、フリーズ演出抽選テーブルと、判定手段とを備えている。乱数発生手段と、乱数抽出手段とは、役抽選手段110と同様のものである。フリーズ演出抽選テーブルは、乱数発生手段が発生させる範囲内の各乱数について、フリーズ演出を実行するか否かを予め定めたものである。また、判定手段は、乱数抽出手段が抽出した乱数と、フリーズ演出抽選テーブルとを照合して、フリーズ演出（フリーズ状態）を実行するのに当選か又はハズレかの判定を行うものである。
【００３８】
本実施の形態では、通常遊技中に、フリーズ制御手段170によるフリーズ演出を可能とするべく、フリーズ演出抽選手段120による抽選を行っている。このフリーズ演出抽選手段120の抽選に当たった場合に限って、フリーズ制御手段170によるフリーズ演出を実行しているものである。その際の抽選確率は、役抽選手段110の抽選結果に応じて、種々変更した抽選確率を使用している。具体的には、例えば、ＢＢ役に当選している場合の抽選確率は、高確率に設定し、その他の役の当選やハズレのときは、低確率に設定されているものである。なお、役抽選手段110の抽選結果等とは無関係に予め別個独立に設定された数値を抽選確率に使用してもよい。また、ＢＢ役に当選しているときだけ、フリーズ演出抽選手段120によるフリーズ演出を行うか否かの抽選を行うようにしてもよい。更に、このフリーズ演出抽選手段120を無くして、そのような抽選を行わずに、ＢＢ役に当選の場合は、必ずフリーズ演出を行うようにしてもよい。
【００３９】
（最大限度時間抽選手段260）
最大限度時間抽選手段260は、最大限度時間として、時間の異なるものを予め複数、設けてあるとともに、その複数の最大限度時間のうち、いずれの最大限度時間を用いるかを抽選により決定するためのものである。具体的には、最大限度時間として、８秒、１０秒、１５秒、２０秒、３０秒のうちから、いずれかを抽選で選択するように形成されている。この抽選における乱数抽出の契機は、フリーズ状態におけるベットスイッチ16の最初の操作を契機としている。もちろん、スタートスイッチ30の操作を契機に、フリーズ演出の発生の有無に拘わらず乱数抽出だけ行うようにしてもよい。
【００４０】
最大限度時間抽選手段260は、乱数発生手段と、乱数抽出手段と、最大限度時間抽選テーブルと、判定手段とを備えている。乱数発生手段と、乱数抽出手段とは、役抽選手段110と同様のものである。最大限度時間抽選テーブルは、乱数発生手段が発生させる範囲内の各乱数について、予め定めた複数の最大限度時間のうち、いずれの最大限度時間に決定するかを予め定めたものである。また、判定手段は、乱数抽出手段が抽出した乱数と、最大限度時間抽選テーブルとを照合して、いずれの最大限度時間を使用するのかの判定を行うものである。
なお、このような抽選手段を設けずに、予め定めた１つの最大限度時間を使用するようにしてもよいし、また、予め定めた複数の最大限度時間を所定の順番にしたがって、使用するようにしてもよい。また、最大限度時間は、役抽選手段110の抽選結果に沿って、当選か否か、或いは当選した場合には、当選役の種類によって、予め定めた所定の最大限度時間を採用するようにしてもよい。
【００４１】
なお、上述したフリーズ演出抽選手段120及び最大限度時間抽選手段260は、先ずフリーズ演出の有無を決定し、その後、ベットスイッチ16が操作されたことを契機として最大限度時間を決定するという２段階抽選になっているが、これに限定されることなく、スタートスイッチ30の操作を契機として、１の抽選手段によってフリーズ演出の有無及びその最大限度時間を決定するようにしてもよい。具体的には、例えば、１つの抽選手段を備え、その抽選手段には、乱数を発生させる乱数発生手段と、スタートスイッチ30の操作を契機として乱数を抽出する乱数抽出手段と、フリーズ演出抽選及び最大限度時間抽選テーブルと、判定手段とを備えている。乱数発生手段と、乱数抽出手段とは、役抽選手段110と略同様のものである。フリーズ演出抽選及び最大限度時間抽選テーブルは、乱数発生手段が発生させる範囲内から、乱数抽出手段が抽出した乱数が、予め定めたいずれの区分領域（乱数範囲）に属するかによって、フリーズ演出の有無と、最大限度時間とを決定するためのテーブルである。このテーブルは、乱数発生手段がとる乱数範囲において、フリーズ演出を実行するか否かと、最大限度時間との組み合わせとからなる区分領域を予め定めたものである。また、判定手段は、乱数抽出手段が抽出した乱数と、フリーズ演出抽選及び最大限度時間抽選テーブルとを照合して、フリーズ演出（フリーズ状態）を実行するか否かと、且つ、最大限度時間との決定を行うものである。このフリーズ演出抽選及び最大限度時間抽選テーブルは、乱数範囲を全部で６個の区分領域に分類し、乱数抽出手段が抽出した乱数がいずれの区分領域（乱数範囲）に属するかによって、フリーズ演出を実行するか否かと、最大限度時間とを決定するように形成されている。この６個の区分領域は、第１の区分領域が、フリーズ演出を実行しない。第２の区分領域が、フリーズ演出を実行し、且つ８秒の最大限度時間に設定されている。第３の区分領域が、フリーズ演出を実行し、且つ１０秒の最大限度時間に設定されている。第４の区分領域が、フリーズ演出を実行し、且つ１５秒の最大限度時間に設定されている。第５の区分領域が、フリーズ演出を実行し、且つ２０秒の最大限度時間に設定されている。第６の区分領域が、フリーズ演出を実行し、且つ３０秒の最大限度時間に設定されている。そして、各区分領域の抽選確率は、区分領域毎に予め決定された乱数範囲により決定され、第１の区分領域の抽選確率が、６４／１２８に設定され、第２の区分領域の抽選確率が、２５／１２８に設定され、第３の区分領域の抽選確率が、１５／１２８に設定され、第４の区分領域の抽選確率が、１０／１２８に設定され、第５の区分領域の抽選確率が、８／１２８に設定され、第６の区分領域の抽選確率が、６／１２８に設定されているようなものを含む。なお、この抽選は、上述したようにスタートスイッチ30の操作を契機として行うものである。
【００４２】
（回転制御手段250）
回転制御手段250は、スタートスイッチ30の操作を契機に、３個すべての回転リール40の回転を開始させるとともに、３個すべての回転リール40の回転駆動を制御するものである。具体的には、回転制御手段250は、スタートスイッチ30の操作を契機に、３個すべての回転リール40の回転を開始させて、その回転速度が所定の定常速度に達するまで速度を増加させる。そして、回転制御手段250は、回転リール40の回転速度が所定の定常速度に達したときには、回転リール40を所定の定常速度で定速回転させる定速処理を行う。
また、本実施の形態では行っていないが、回転制御手段250は、フリーズ状態の際、遊技の進行における回転ではなく、回転リール40の回転を開始させてその回転速度を増加させ、若しくは減少させ、若しくは停止させ、若しくは逆転させるような回転リール40を用いた演出（以下、「回胴演出」と称する）を実施するように形成するようにしてもよい。
【００４３】
（ウェイト制御手段190）
ウェイト制御手段190は、１回の遊技における遊技時間が、予め定められた所定時間（以下、「ウェイト時間」と称す。）以下とならないように制御するものである。本実施の形態では、ウェイト時間は、４．１秒に設定されている。また、本実施の形態では、ウェイト制御手段190は、計時手段150によりウェイト時間を計時している。具体的には、ウェイト制御手段190は、一の遊技において、回転制御手段250により回転リール40の回転が開始されたことを契機に、計時手段150に計時を開始させる。そして、次の遊技において、回転制御手段250により回転リール40の回転が開始されたことを契機に、計時手段150による計時をリセットして再度計時を開始させる。そして、それ以降の遊技においても同様に、毎遊技、回転制御手段250により回転リール40の回転が開始されたことを契機に、計時手段150による計時をリセットして再度計時を開始させる。
【００４４】
そして、ウェイト制御手段190は、遊技の開始に係るスタートスイッチ30が操作された際における、計時手段150により計時される計時時間が４．１秒以下であった場合には、回転制御手段250による、３個すべての回転リール40の回転を開始させる処理の開始を一旦保留し、計時時間が４．１秒経過した後に、保留した回転制御手段250による当該処理を開始させる。
また、本実施の形態では、遊技の開始に係るスタートスイッチ30が操作されると、後述するフリーズ制御手段170により、遊技の進行が遅延されるとともに、フリーズ状態となって、その間に表示装置68による演出が実行される場合がある。このような場合には、ウェイト制御手段190は、スタートスイッチ30の操作を契機に、計時手段により計時される計時時間が４．１秒以下であるか否かを判断する。そして、計時時間が４．１秒以下であった場合には、ウェイト制御手段190は、回転制御手段250による、３個すべての回転リール40の回転を開始させる処理の開始を一旦保留するウェイト処理を実行し、計時時間が４．１秒経過した後に、保留した回転制御手段250による当該処理を開始可能とする。このとき、フリーズ制御手段170は、計時時間が４．１秒経過した後に、表示装置68による演出を実行する。すなわち、計時時間が４．１秒経過した後に、遊技の進行を遅延させて、その間に所定の演出を実行する。なお、これに限定せず、フリーズ制御手段170による表示装置68における演出を実行する場合には、上述したように、４．１秒経過した後に演出を実行するのではなく、スタートスイッチ30の操作時点で４．１秒を経過していなくても、所定の演出を実行するように形成してもよい。
【００４５】
また、本実施の形態では、ウェイト制御手段190は、所定の演出が実行された場合には、その演出が終了して、回転制御手段250により回転リール40の回転が開始されたことを契機に、計時手段に計時を開始させる。すなわち、ウェイト制御手段190は、フリーズ制御手段170から回転制御手段250に演出を終了する旨の信号が入力されて、回転制御手段250により回転リール40の回転が開始されたことを契機に、計時手段に計時を開始させる。
なお、ウェイト制御手段190は、回転制御手段250により回転リール40の回転が開始されたことを契機に、計時手段に計時を開始させるものであるがこれに限られるものではない。たとえば、フリーズ状態における演出が実行される場合には、ウェイト制御手段190は、当該演出中のいずれかのタイミングから計時手段に計時を開始させるようにしてもよい。
【００４６】
（停止制御手段130）
停止制御手段130は、役抽選手段110の抽選結果と、各ストップスイッチ50が操作された際における対応する回転リール40の回転位置とに基づいて、各回転リール40の回転を停止させるものである。
具体的には、停止制御手段130は、各ストップスイッチ50が操作された際における対応する回転リール40の回転位置を、対応するインデックスが検知されてから対応するストップスイッチ50が操作されるまでの間における対応するステッピングモータのステップ数で特定しつつ、ストップスイッチ50が操作された時点で、有効ライン上に直ちに停止できる図柄（すなわち、回転リール40の回転位置）を基準として、この図柄から回転方向に予め定められた個数（最大スベリコマ数、たとえば４コマ）移動した図柄までの範囲内で、対応する回転リール40を停止させるように形成されている。
【００４７】
そして、停止制御手段130は、役抽選手段110の抽選結果がいずれかの役に当選の場合には、各回転リール40の回転を停止させるに際し、当選した役に対応する図柄の組み合わせが、いずれかの有効ライン上に極力揃うように、かつ、当選した役以外の役に対応する図柄の組み合わせについては、いずれの有効ライン上にも揃わないように、引き込み制御及び蹴飛ばし制御を行い、一方、役抽選手段110の抽選結果がハズレの場合には、各回転リール40の回転を停止させるに際し、いずれの有効ライン上にも、いずれの役に対応する図柄の組み合わせも揃わないように、蹴飛ばし制御を行う。
また、本実施の形態では、原則として、単独の当選フラグが別個独立に成立するものであるが、複数の当選フラグを同時に成立（重複当選）させるようにしてもよい。このような場合に、停止制御手段130は、引き込み制御において、当選した複数の役のうちいずれの役を優先して引き込むかを予め設定している。具体的には、停止制御手段130は、引き込み優先順位を、「再遊技役」＞「ボーナス役」＞「小役」に設定している。
【００４８】
また、本実施の形態では、停止制御手段130は、図柄の停止位置を予め定めた停止テーブルを備え、上記した引き込み制御及び蹴飛ばし制御を、この停止テーブルを用いて行う。
具体的には、停止制御手段130は、１つのフラグ状態ごとに１つの停止テーブルを備えている。ここで、フラグ状態とは、たとえばプラム当選フラグが成立している状態や、ベルフラグが成立している状態などである。
そして、たとえば、プラム当選フラグが成立している状態において用いられる停止テーブルである「プラム当選テーブル」には、プラム役に対応する図柄の組み合わせが、有効ライン上に優先して揃い得るように、かつ、プラム役以外の役に対応する図柄の組み合わせについては、有効ライン上に揃わないように設定されている。
【００４９】
なお、停止制御手段130は、１つのフラグ状態および遊技状態ごとに、１つの停止テーブルを備えるようにしてもよい。なお、ここで、遊技状態とは、通常遊技であって、ボーナス当選フラグが成立している状態（内部当選状態）や、通常遊技であって、ボーナス当選フラグが成立していない状態（内部非当選状態）や、ＲＢゲームなどである。
また、停止制御手段130は、引き込み制御及び蹴飛ばし制御を、所定の図柄を停止させるか否かを判断しながら制御を行うプログラム制御により行うようにしてもよい。
（停止図柄判定手段140）
停止図柄判定手段140は、すべての回転リール40の回転が停止した際に、いずれかの役に対応する図柄の組み合わせがいずれかの有効ライン上に停止表示されているか否かを判定し、この判定結果に基づいた制御を行うものである。すなわち、所定の役を構成する図柄の組み合わせが停止表示された場合に、この停止表示された役に応じた制御信号を出力するように形成されている。
【００５０】
具体的には、停止図柄判定手段140は、各制御手段に制御信号を出力する。そして、たとえば、小役に係る制御信号が入力された遊技制御手段27は、貯留払い出し手段65を作動させて所定枚数のメダルを払い出すように制御する。また、たとえば、再遊技役に係る制御信号が入力された遊技制御手段27は、次の遊技において、遊技開始の条件として、遊技者がメダル投入口18からメダルを投入しなくても、また、ベットスイッチ16の押下によるメダル投入が行われなくても、遊技を開始できるような内部処理が行われることで、再度の遊技の制御の設定処理を行う。具体的には、再遊技役に対応する図柄の組み合わせが有効入賞ライン上に停止表示された場合には、停止図柄判定手段140は、遊技制御手段27に対して、以下のような設定処理を行う。停止図柄判定手段140は、予め貯留されたクレジット数をベットスイッチ16の押下操作で減らすことなく、また、遊技開始の条件としてのメダルを、メダル投入口18から、遊技者が投入することなく、前回の遊技で投入された枚数と同数のメダルが、次の遊技開始の条件として自動的に内部投入される設定処理を行う。
【００５１】
また、たとえば、ボーナス役に係る制御信号が入力された特別遊技制御手段80は、特別遊技を開始する。より具体的には、たとえば、ＢＢ役に係る制御信号が入力された特別遊技制御手段80は、ＢＢゲームを開始する。
（計時手段150）
計時手段150は、所定時間を計時するためのものであって、本実施の形態を実施するにあたって、種々の時間を時間するものであり、複数のタイマー機構を備えているものである。例えば、１回の遊技制限時間である４．１秒の計時も行うとともに、フリーズ状態における最低時間や、フリーズ時間や、最大限度時間等の計時等も行うものである。また、その他の種々の時間を、計時或いはカウントするためのものである。その方法は、所定時間までのカウントアップによるものであるが、これに限定されず所定時間からのカウントダウンによるものでもよい。
【００５２】
（回転位置判断手段161（回転位置検出手段160））
回転位置判断手段161は、回転位置検知装置46からのインデックス47がインデックスセンサ48を通過したタイミングと、その時点からのステッピングモーター64へのパルス信号の入力数とに基づいて、各回転リール40の現在の回転位置を把握するためのものである。この回転位置判断手段161と回転位置検知装置46（インデックス47及びインデックスセンサ48）とにより、回転リール40の回転位置を検出する回転位置検出手段160を構成している。これにより、予め定めた基準の位置、例えば、表示窓13の中段位置を中心として、その上下の上段及び下段に現在、通過している図柄を回転中であってもリアルタイムで認識することが可能となるものである。そして、そのデータは、インデックス47がインデックスセンサ48を通過するごとに最新の正確なデータに更新されるように形成されている。そして、この回転位置判断手段161により検出された３つの回転リール40の回転中の回転位置データは、更新される毎に、回転位置判断手段161へ送出されるように形成されている。
【００５３】
（フリーズ制御手段170）
フリーズ制御手段170は、遊技を進行させることができないフリーズ状態を、所定時間（フリーズ時間）、実行するためのものである。このフリーズ時間は、予め定めた最低時間（具体的には、３秒、もちろんこれに限定されるものではない）以上であって、この最低時間を超える予め定めた最大限度時間以下に設定可能に形成されている。なお、最低時間は、最大限度時間を超えないように設定されている。
ここで、フリーズ制御手段170は、フリーズ状態を実行する際には、予め定めた最低時間はフリーズ状態を必ず実行するとともに、この最低時間中に操作可能なスイッチのうち、いずれかの操作により、予め定めた最大限度時間内でフリーズ時間を延長可能に形成されている。ここで、本実施の形態では、操作可能なスイッチとして、ベットスイッチ16を採用している。すなわち、フリーズ状態の最低時間中に、ベットスイッチ16を操作すると、フリーズ演出抽選手段120により決定された最大限度時間内でフリーズ時間を延長可能に形成されている。なお、操作可能なスイッチとは、ベットスイッチ16、スタートスイッチ30、ストップスイッチ50、精算スイッチ17その他の操作可能なスイッチを意味し、別途、専用に設けた操作スイッチでもよい。また、本実施の形態では、ベットスイッチ16だけを、操作可能なスイッチの対象としているが、上述したスタートスイッチ30やストップスイッチ50等の複数の操作スイッチのうち、遊技者が選択したいずれか一つをフリーズ時間中にフリーズ時間を延長させるために操作するスイッチとして選択することができるようにしてもよい。また、かかる全てのスイッチをフリーズ時間を延長させるためのスイッチとして操作可能な状態にしてもよいものである。
【００５４】
具体的には、図９に示すように、フリーズ状態に移行して、最低時間までに、ベットスイッチ16の操作が遊技者により行われなければ、図９（ａ）に示すように、フリーズ制御手段170は、フリーズ時間を、Ｔ０からＴ１までの時間だけ実施する。また、最低時間内に遊技者によりベットスイッチ16が操作された場合には、図９（ｂ）に示すように、フリーズ制御手段170は、フリーズ時間を、Ｔ１からＴ５まで延長する。そして、その延長された時間において、演出制御手段240を介して、表示装置68に演出Ａが報知される。この演出Ａの演出内容は、役抽選手段110の抽選結果、所定の役に当選している場合に、いずれかの役、又はその所定の役に当選していることの報知又は当選を示唆若しくは暗示させるような内容となっている。すなわち、この演出Ａは、演出Ｓよりも遊技者に有利な情報を含む得る演出となっている。なお、演出Ｓの内容は、最低時間中のベットスイッチ16の操作の有無に関係なく、同一であって、所定のキャラクターが登場するものであり、当選の報知ではない。もちろん、当選の報知情報を含めてもよいが、その際でも、演出Ｓよりも演出Ａの方がより当選内容の特定が限定可能な遊技者にとって有利な情報となるように設定してあればよいものである。
【００５５】
なお、本実施の形態は、いわゆるフリーズ時間中に表示装置68による演出を実施しているものであるが、フリーズ時間中の回転リール40の回転、回転速度変更、回転停止、回転方向変更等の種々の回胴演出や、それに加えて所定の役（例えば７７７）を揃えた状態での回転や停止等を組み合わせた回胴演出等を同時に行うようにしてもよい。
（有利遊技制御手段220）
有利遊技制御手段220は、有利遊技を制御するものである。本実施の形態に係る有利遊技制御手段220は、有利遊技として、表示装置68に、役抽選手段110の抽選結果を示唆する情報を表示させることにより、当選した小役を遊技者に対して告知する、という態様の遊技を行う。このような態様の有利遊技は、アシストタイム（ＡＴ）などと呼ばれるものである。この有利遊技は、有利遊技移行役に当選することにより、所定遊技回数だけ実施可能となるように形成されている。遊技者は、表示装置68に表示された情報を見て、当選した小役に対応する図柄の組み合わせがいずれかの有効ライン上に停止するようタイミングを図ってストップスイッチ50を操作することにより、告知がない場合と比較してより多くの小役に対応する図柄の組み合わせを有効ライン上に停止表示させることができ、ひいてはより多くの枚数のメダルを獲得することができる。これにより、有利遊技としてのアシストタイム（ＡＴ）は、遊技者にとって通常遊技よりも有利な遊技となっている。
【００５６】
具体的には、図６に示すように、小役としての３択役青７（青７、プラム、プラム）、３択役白７（白７、プラム、プラム）、３択役赤７（赤７、プラム、プラム）がある。図５に示すように、左リール43において、図柄「青７」と、図柄「白７」と、図柄「赤７」とは、表示窓13に停止又は引き込み可能な最大引き込み可能範囲である７コマの範囲には、１個しか存在していない。このため、小役としての３択役青７、３択役白７、３択役赤７のうち、いずれかの役が当選している場合には、目押しの技量に優れたものであっても、いずれの役が当選しているか報知されない場合には、その引き込み確率は３分の１となる。それに対して、ＡＴ中では、かかる小役としての３択役青７、３択役白７、３択役赤７のうち、いずれの役が当選しているかを特定して遊技者に報知する。これにより、当選した図柄を有効ライン上に停止させることができる可能性が飛躍的に増加して、獲得できるメダル枚数を増加させることができるものである。
【００５７】
なお、本実施の形態では、フリーズ制御手段170によるフリーズ時間中の表示装置68による演出は、通常遊技中にのみ実施可能に形成されており、この有利遊技中には実施されないように形成されている。しかし、これに限定されることなく、有利遊技中にも、或いは有利遊技中だけ、フリーズ制御手段170による演出を実施するように形成してもよい。これにより、遊技者に当選情報の報知の内容を種々変更したものにすることができ、有利遊技の遊技性を面白みのあるものにすることができる。
（演出データ記憶手段230）
演出データ記憶手段230は、実行する演出の演出データと、演出を実行する確率である実行確率を予め定めた実行確率データとを記憶するものである。演出の実行内容は、表示装置68の表示、演出用ランプ17の点灯・点滅、スピーカからの発音などにより構成されている。
【００５８】
（演出制御手段240）
演出制御手段240は、演出を実行するものである。本実施の形態では、演出制御手段240は、役抽選手段110による役抽選の結果に基づいて、演出データ記憶手段230からの演出データに基づいて、対応する演出を、演出抽選の結果により、実行可能とするように形成されている。
（遊技機10の動作）
以下、図１０及び図１１に示すフローチャートに基づいて、本実施の形態に係る遊技機10の動作の概略を説明する。
【００５９】
まず、遊技機10の遊技制御装置21における処理であるメイン制御処理について通常遊技のフローを説明する。
図１０に示すステップ１１１において、前回遊技において、再遊技役の図柄が有効ライン上に停止表示されたか否かが判定される。そして、再遊技役の図柄が停止表示されたと判定された場合、ステップ１１４に進み、停止表示されないと判定された場合、ステップ１１２に進む。
ステップ１１２において、所定枚数（具体的には、３枚）のメダルがベットされたか否かが判定される。そして、ベットされたと判定された場合、ステップ１１３に進み、ベット処理が行われ、ベットされていなと判定された場合、ステップ１１２の前に戻る。
【００６０】
ステップ１１４において、スタートスイッチ30の操作が行われたか否かの判定が行われ、操作が行われたと判定された場合、次のステップ１１５に進み、操作が行われないと判定された場合、ステップ１１４の前に戻る。
ステップ１１５において、役抽選手段110により役抽選処理が行われる。そして、次のステップ１１６に進む。
ステップ１１６において、フリーズ演出抽選手段120によりフリーズ演出を行うか否かの抽選であるフリーズ演出抽選処理が行われる。そして、次のステップ１１７に進む。
ステップ１１７において、ウェイト制御手段190により、ウェイト時間を計時する計時手段により計時される計時時間が４．１秒以下であるか否かが判断される。ここで、４．１秒以下であると判断されると、ステップ１１８に進む。一方、４．１秒以下でない、すなわち４．１秒を超えていると判断されると、ステップ１１９に進む。
【００６１】
ステップ１１８において、ウェイト制御手段190によりウェイト処理が行われる。そして、次のステップ１１９に進む。
ステップ１１９において、フリーズ演出抽選手段120の抽選結果に基づいて、フリーズ演出（フリーズ状態）を発生させるか否かが判定される。そして、フリーズ演出（フリーズ状態）を発生させると判定された場合、次のステップ１２０に進み、フリーズ演出（フリーズ状態）を発生させないと判定された場合、ステップ１２１に進む。
ステップ１２０において、フリーズ制御手段170によりフリーズ演出に係るフリーズ処理が実施される。そして、次のステップ１２１に進む。
【００６２】
ステップ１２１において、フリーズ演出終了処理が行われる。そして、次のステップ１２２に進む。
ステップ１２２において、ストップスイッチ50が操作されたか否かが判定される。そして、ストップスイッチ50が操作されたと判定された場合、次のステップ１２３に進み、操作されていないと判定された場合、ステップ１２２の前に戻る。
ステップ１２３において、停止制御手段130により、操作されたストップスイッチ50に対応する回転リール40の停止制御が行われる。そして、次のステップ１２４に進む。
ステップ１２４において、遊技制御手段27により、全ての回転リール40の回転が停止したか否かが判断される。ここで、全ての回転リール40の回転が停止したと判断されると、ステップ１２５に進む。一方、全ての回転リール40の回転が停止していないと判断されると、ステップ１２２に戻る。
【００６３】
ステップ１２５において、停止図柄判定手段140により、いずれかの役に対応する図柄の組み合わせが、いずれかの有効ライン上に停止表示されたか否かが判断される。ここで、停止表示されたと判断されると、ステップ１２６に進む。一方、停止表示されていないと判断されると、当該処理が終了する。
ステップ１２６において、遊技制御手段27により、停止表示された図柄の組み合わせに対応する役に応じた処理が行われる。たとえば、いずれかの小役に対応する図柄の組み合わせが停止表示された場合には、当該役に応じた枚数のメダルの払い出しが行われる。また、再遊技役に対応する図柄の組み合わせが有効入賞ライン上に停止表示された場合には、遊技機10の内部の制御によりクレジット数を減らすことなく、遊技開始の条件としてのメダルが、遊技者が投入することなく、自動的に内部投入される。そして、当該処理が終了する。
【００６４】
次に上述したフリーズ処理のフローについて説明する。
図１１に示すステップ２１１において、計時手段150によるフリーズ時間の計時が開始される。そして、遊技の進行をできなくするための種々の操作スイッチの操作無効処理（フリーズ処理）が施される。そして、演出制御手段240を介して、表示装置68により通常演出（図９の演出Ｓ）が開始される。そして、次のステップ２１２に進む。
ステップ２１２において、ベットスイッチ16の操作が遊技者により行われたか否かが判定される。そして、ベットスイッチ16の操作が行われたと判定された場合、ステップ２１５に進み。一方、ベットスイッチ16の操作が行われていないと判定された場合、次のステップ２１３に進む。
【００６５】
ステップ２１３において、演出制御手段240を介して、表示装置68により通常演出（図９の演出Ｓ）が継続して実行される。そして、次のステップ２１４に進む。
ステップ２１４において、フリーズ時間の予め定めた最低時間が経過したか否かが判定される。そして、その最低時間が経過していると判定された場合、当該処理が終了し、経過していないと判定された場合、ステップ２１２の前に戻る。一方、経過していると判定された場合、ステップ２２０の前に進む。
ステップ２１５において、フリーズ演出抽選手段120により、ステップ２１２のベットスイッチ16の操作を契機として、抽出した乱数を使用して、フリーズ時間の最大限度時間を決定するための抽選が行われる。そして、その抽選の結果、最大限度時間が決定され、設定される。そして、次のステップ２１６に進む。
【００６６】
ステップ２１６において、通常演出（図９の演出Ｓ）が継続して実行される。そして、次のステップ２１７に進む。
ステップ２１７において、フリーズ時間の予め定めた最低時間が経過したか否かが判定される。そして、その最低時間が経過していると判定された場合、次のステップ２１８に進み、経過していないと判定された場合、ステップ２１６の前に戻る。
ステップ２１８において、演出制御手段240を介して、表示装置68により有利演出（図９の演出Ａ）が実行される。そして、次のステップ２１９に進む。
ステップ２１９において、最大限度時間が経過したか否かが判定される。そして、その最大限度時間が経過していると判定された場合、ステップ２２０に進み、経過していないと判定された場合、ステップ２１８の前に戻る。
【００６７】
ステップ２２０において、計時手段150によるフリーズ時間の計時処理が終了し、フリーズ演出が終了し、その終了処理が行われる。そして、フリーズ状態が解除される。そして、当該処理が終了する。
（作用及び効果）
本実施の形態によれば、フリーズ状態を実行する際には、予め定めた最低時間はフリーズ状態を必ず実行する。これにより、フリーズ状態を実行する際には、その最低時間に関しては何人にも公平に最低時間のフリーズ状態を発生させることができる。これにより、例えば、ＢＢゲームの移行役に当選した場合にフリーズ状態を発生させ得るように設定した場合には、フリーズ状態を発生させる所定の報知目的を果たすことが可能となる。この最低時間中にベットスイッチ16の操作により、予め定めた最大限度時間内でフリーズ時間を延長可能とした。これにより、遊技者がフリーズ状態の延長を望まない場合には、ベットスイッチ16を操作しないことを選択すれば、フリーズ時間が延長されることがなくなる。また、遊技者がフリーズ状態の延長を望む場合には、ベットスイッチ16を操作することを選択することで、予め定めた最大限度時間内でフリーズ時間を延長することができる。
【００６８】
また、延長された場合であっても、最大限度時間内に設定されているため、延長しない遊技者との間に極端な時間差を発生させることがなく、一定の範囲内で遊技進行を促進させることができる。
また、最大限度時間抽選手段260により、最大限度時間として、時間の異なるものを予め複数、設けて、そのうちのいずれの最大限度時間を用いるかを抽選により決定していることにより、フリーズ時間の最大限度時間に意外性を付与することができる。
そして、フリーズ時間中、表示装置68で演出が実行される。これにより、早く演出を消化したい遊技者にとっては、最短の時間である最低時間のフリーズ時間で遊技を進めることができ、逆に演出を楽しみたい遊技者にとっては、ベットスイッチ16の操作により、フリーズ時間の延長が発生するので、フリーズ時間中の演出を楽しむことができる。
【００６９】
したがって、遊技者にとって有益な情報を提示したり、遊技者を楽しませる娯楽性に優れたものを実行することが可能となり、フリーズ状態が遊技者にとってさらに有意義なものとなる。
更に、最低時間中に行われる演出Ｓの内容は、最低時間中のベットスイッチ16の操作の有無に関係なく、同一であって、所定のキャラクターが登場するものであり、当選の報知等を含まないものである。そして、フリーズ時間が延長された場合に行われる演出Ａの演出内容は、役抽選手段110の抽選結果、所定の役に当選している場合に、いずれかの役、又はその所定の役に当選していることの報知又は当選を示唆若しくは暗示させるような内容となっている。このため、最低時間中の演出Ｓよりも、フリーズ時間が延長された時間に行われる演出Ａの内容が、最低時間までの演出よりも遊技者に有利な状態を含む演出が実行されうる。これにより、遊技者は最低時間中にベットスイッチ16を自らの手で操作して、フリーズ時間を延長させる意義や楽しみが増え、延長されたフリーズ状態が遊技者にとってさらに有意義なものにすることができる。
【００７０】
（他の一部変形例）
また、上述した実施の形態では、有利遊技として、当選した小役を遊技者に対して告知するアシストタイム（ＡＴ）を実行するとしたが、ＡＴに限られるものではなく、例えば、（ａ）ＢＢやＲＢ等のボーナス遊技の当選、（ｂ）その当選役が有効ラインに停止表示、（ｃ）ボーナス遊技の終了、（ｄ）通常遊技中に所定図柄が有効ラインに停止表示、（ｅ）所定図柄の停止表示又はボーナス遊技の終了から所定回数の遊技の終了の（ａ）〜（ｅ）のいずれかの契機で、再遊技の当選確率を変動させるとともに遊技開始又は終了契機となるように設定したリプレイタイム（ＲＴ）を実行するようにしてもよい。
【００７１】
また、ＲＴ中においてＡＴを同時に実行するアシストリプレイタイム（ＡＲＴ）の遊技を行うようにしてもよい。また、例えば、いずれかの回転リール40のスベリコマ数を０コマ又は１コマにすることにより、いわゆる目押しを可能としたチャレンジタイム（ＣＴ）を実行するようにしてもよい。
また、上述した実施の形態では、アシストタイム（ＡＴ）は、当選した小役を遊技者に対して告知する遊技であるとしたが、これに限られるものではない。アシストタイム（ＡＴ）としては、例えば、当選した小役が停止表示可能となるストップスイッチ50の操作順序（いわゆる「押し順」）を報知するタイプにしてもよい。
【００７２】
更に、本実施の形態では、上述したようなフリーズ状態における演出等を、通常遊技中にのみ実施しているが、特にこれに限定されることなく、ＢＢゲームやＲＢゲーム等の特別遊技中に実施してもよく、また、ＡＴ遊技や、ＲＴ遊技や、ＡＲＴ遊技等の所定の遊技中に実施してもよく、また、所定の役に当選や、ＢＢゲームの終了等の所定の契機から所定の遊技回数だけに実施してもよく、また、ＢＢゲームへの移行役（赤７、赤７、赤７）に当選したときだけ等の所定の遊技だけ実施するようにしてもよい。
本発明は、上述した実施の形態に限定されるものではなく、本発明の目的を達成できる範囲における変形および改良なども含むものである。また、本発明は、この明細書に記載した実施の形態を適宜組み合わせる、または組み替えることもできる。
【００７３】
（第２の実施の形態）
第１の実施の形態では、最低時間中に１回のベットスイッチ16の操作で、最大限度時間までのフリーズ時間の延長が行われた。本実施の形態では、最低時間中における遊技者によるベットスイッチ16の操作回数により、フリーズ時間を、最大限度時間を超えない範囲で、延長可能としたものである。
更に、その演出内容は、最低時間中のベットスイッチ16の操作回数が多い程、より遊技者に対するより有利な情報（より利益が大きくなりうる可能性のある情報）を含む演出となっている。
【００７４】
具体的には、図１２（ａ）に示すように、時刻Ｔ０からＴ１までの最低時間中に遊技者によるベットスイッチ16の操作が無い場合には、フリーズ時間は、延長されず、時刻Ｔ１でフリーズ演出が終了するとともに、表示装置68により行われる演出Ｓも終了する。
そして、図１２（ｂ）に示すように、最低時間中に遊技者によるベットスイッチ16の操作が１回行われると、フリーズ時間は、単位時間（時刻Ｔ１から時刻Ｔ２までの時間）だけ延長されるとともに、表示装置68により、演出Ｓよりも有利な情報を含む演出Ａが行われる。なお、時刻Ｔ２は最大限度時間内である。
そして、図１２（ｂ）に示すように、最低時間中に遊技者によるベットスイッチ16の操作が２回行われると、フリーズ時間は、単位時間（時刻Ｔ１から時刻Ｔ２までの時間）の２倍の時間（時刻Ｔ１から時刻Ｔ３までの時間）だけ延長されるとともに、表示装置68により、演出Ａよりも有利な情報を含む演出Ｂが行われる。なお、時刻Ｔ３は最大限度時間内である。
【００７５】
そして、図示していないが、最低時間中に遊技者によるベットスイッチ16の操作が３回行われると、フリーズ時間は、単位時間（時刻Ｔ１から時刻Ｔ２までの時間）の３倍の時間（時刻Ｔ１から時刻Ｔ４までの時間）だけ延長されるとともに、表示装置68により、演出Ｂよりも有利な情報を含む演出Ｃが行われる。なお、時刻Ｔ４は最大限度時間内である。
そして、図１２（ｄ）に示すように、最低時間中に遊技者によるベットスイッチ16の操作が４回行われると、フリーズ時間は、単位時間（時刻Ｔ１から時刻Ｔ２までの時間）の４倍の時間且つ最大限度時間を超えない範囲である時間（時刻Ｔ１から時刻Ｔ５まで、単位時間の３．５倍の時間）だけ延長されるとともに、表示装置68により、演出Ｃよりも有利な情報を含む演出Ｄが行われる。
【００７６】
ここで、各演出Ｓ、Ａ、Ｂ、Ｃ、Ｄの内容は、図１３に示すように、順に遊技者に有利となるような情報を含むように形成されている。具体的には、例えば、役抽選手段110により役ａ（役ａは、プラム役等のいずれかの所定の役）が当選している場合、演出Ｓでは、当選の有無の情報を含まない演出が行われる。そして、演出Ａでは、いずれかの役に当選していることだけの情報を含む演出が行われる。そして、演出Ｂでは、役ａ、ｂ又はｃのうち、いずれかの役に当選していることの情報を含む、その３つの役のうち、具体的に１つに特定しない情報を含む演出が行われる。ここで、役ｂ、ｃは、役ａ以外の他の役を意味する。そして、演出Ｃでは、役ａ又は役ｂのうち、いずれか一方が当選しているものであって、そのいずれか一方が具体的には特定しない情報の演出が行われる。そして、演出Ｄは、役ａに当選していることの情報を含む演出が行われる。このように、当選内容を演出ＳからＤまで順により具体的に特定することで、遊技者により有利な情報を提供することができるように形成されている。
【００７７】
また、図１４に示すように、各演出の内容で遊技者に報知する情報の中に、ハズレを含ませることにより、ハズレの場合も含めて、より多彩な報知演出が可能となる。
本実施の形態では、第１の実施の形態の図１１のフローの代わりに、図１５のフローにより行われるものである。
図１５のフローでは、図１１のフローと比較して、ステップ３１６、３１７、３１９、３２０、３２１が加わっているもので、その他は、同一のフローである。以下、異なっている箇所を説明する。
ステップ３１６において、遊技者によるベットスイッチ16の次の操作が行われたか否かが判定されるものである。そして、操作が行われたと判定された場合には、次のステップ３１７に進む。一方、操作が行われていないと判定された場合には、ステップ３１８に進む。
【００７８】
ステップ３１７において、フリーズ制御手段170により、ベットスイッチ16の操作回数Ｎ（Ｎは１以上の整数）がカウントされるものである。ここで、操作回数Ｎは、初期値としてＮ＝１が設定されてあり、このステップ３１７では、Ｎ＋１を新たな操作回数Ｎとして算出される。そして、次のステップ３１８に進む。
ステップ３１９において、フリーズ時間算出処理が行われる。具体的には、予め定めた単位時間ｔ（具体的には、時刻Ｔ１から時刻Ｔ２までの時間）と、フリーズ制御手段170により算出されたベットスイッチ16の操作回数の合計Ｎとの積に、最低時間を加えたものが、フリーズ時間として算出される。そして、次のステップ３２０に進む。なお、ここで、Ｔ２−Ｔ１＝Ｔ３−Ｔ２＝Ｔ４−Ｔ３＝（Ｔ５−Ｔ４）×２の関係がある。
【００７９】
また、ここで、本実施の形態では、フリーズ時間算出処理を行うようにしているが、特にこれに限定されることなく、ベットスイッチ16の操作回数に対応するフリーズ時間が予め定められたテーブルを備え、当該テーブルを参照してフリーズ時間を決定してもよい。
ステップ３２０において、操作回数Ｎに基づく（対応した）演出が実行される。具体的には、例えば、図１３に示すように、操作回数１回のときは、演出Ａが実行され、操作回数２回のときは、演出Ｂが実行され、操作回数３回のときは、演出Ｃが実行され、操作回数４回のときは、演出Ｄが実行されるものである。
ステップ３２１において、ステップ３１９で算出したフリーズ時間（単位時間ｔと操作回数Ｎとの積に最低時間を加えたもの）を経過しているか否かが判定される。そして、フリーズ時間を経過していると判定された場合は、ステップ３２３に進み、一方、フリーズ時間を経過していないと判定された場合は、ステップ３２２に進む。なお、上述したようにフリーズ時間は、最大限度時間との関係により、実際のフリーズ時間が決定されているものである。すなわち、フリーズ時間は、最大限度時間を超えない範囲で、単位時間ｔと操作回数Ｎとの積に、最低時間を加えた値となっている。それらの和が、最大限度時間を超える場合には、フリーズ時間は、最大限度時間となるものである。
【００８０】
その他の構成や、作用及び効果は、第１の実施の形態と同様である。
本実施の形態では、最低時間中の遊技者によるベットスイッチ16の操作回数が多い程、延長時間を、最大限度時間を超えない範囲で、より長く延長することができるとともに、その演出内容も、最低時間中のベットスイッチ16の操作回数が多い程、演出Ｓから演出Ａ、Ｂ、Ｃ、Ｄとより、遊技者に有利となる情報にすることができる。すなわち、遊技者によるベットスイッチ16の操作回数に応じた所定時間のフリーズ状態及び演出を上乗せすることができ、フリーズ時間中の演出を最大限、楽しむことができる。
このように、ベットスイッチ16の操作回数により、フリーズ時間をより長くすることができ、演出内容もより遊技者に有利な情報を含ませることができる。これにより、遊技者が遊技進行に参加している感じを強めることができ、スイッチを操作することで、フリーズ時間を延長させる意義や楽しみが増え、延長されたフリーズ状態が遊技者にとってさらに有意義なものにすることができる。
【００８１】
更に、本実施の形態では、フリーズ時間を延長させるためのベットスイッチ16の操作を最低時間中に限定している。このため、かかる最低時間中にいかに多くのベットスイッチ16の操作を多くすることができるかという新たな遊技性を発生させることができる。
（第３の実施の形態）
第２の実施の形態では、フリーズ時間を延長させるための遊技者によるベットスイッチ16の操作は、最低時間中だけに限られていたが、本実施の形態では、図１６に示すように、フリーズ時間を延長させるための遊技者によるベットスイッチ16の操作を最低時間を経過した後の延長時間中も実施することができるようにしたものである。
【００８２】
具体的には、例えば、図１６（ｂ）に示すように、最低時間中にベットスイッチ16の操作が１回でも行われると、フリーズ時間は、時刻Ｔ１から時刻Ｔ２までの単位時間だけ延長されるとともに、その延長時間中、演出Ａが表示装置68に表示される。そして、更に、その時刻Ｔ１からＴ２までの延長時間中に、更にベットスイッチ16の操作が１回でも行われると、フリーズ時間は、時刻Ｔ２からＴ３まで延長されるとともに、その延長時間中に、演出Ａよりも遊技者に有利な情報を含む演出Ｂが実施される。
また、例えば、図１６（ｃ）に示すように、図１６（ｂ）に加えて、延長時間Ｔ２からＴ３までの延長時間中に、更にベットスイッチ16の操作が１回でも行われると、フリーズ時間は、時刻Ｔ３からＴ４まで延長されるとともに、その延長時間中に、演出Ｂよりも遊技者に有利な情報を含む演出Ｃが実施される。そして、図１６（ｄ）でも同様の処理が行われるものである。
【００８３】
本実施の形態では、図１７のフローでは、図１５のフローと比較して、ベットスイッチ16の操作の操作回数に関係なく所定時間内に１回でも操作した場合に、延長されるものである。主に図１５のフローと異なるステップ４１５以降について以下に説明する。
ステップ４１５において、通常時間が終了するまで、予め定めた通常演出が継続して実行される。そして、次のステップ４１６に進む。
ステップ４１６において、フリーズ制御手段170により、フリーズ時間は、図１６（ａ）に示すように、時刻Ｔ０から時刻Ｔ２までの延長された時間に設定される。そして、演出制御手段240を介して、表示装置68等により、時刻Ｔ１から時刻Ｔ２まで、予め定めた有利演出（例えば演出Ａ）が実行される。そして、次のステップ４１７に進む。
【００８４】
ステップ４１７において、時刻Ｔ１から時刻Ｔ２の間に、遊技者によるベットスイッチ16の操作があったか否かが判定される。この判定は、操作が少なくとも１回でもあれば、操作があったものと判定するものであって、操作回数が２回以上あった場合でもその後の遊技進行に影響はないように設定されている。なお、この判定に関しては、以下のステップ４１９、４２１の判定でも同様で操作が１回でもあれば操作有りと判定するものである。そして、遊技者によるベットスイッチ16の操作が時刻Ｔ１から時刻Ｔ２の間にあったと判定された場合、次のステップ４１８に進む。一方、その操作が無かったと判定された場合、ステップ４２３に進む。
【００８５】
ステップ４１８において、フリーズ制御手段170により、フリーズ時間は、図１６（ｂ）に示すように、時刻Ｔ０から時刻Ｔ３までの延長された時間に設定される。そして、演出制御手段240を介して、表示装置68等により、時刻Ｔ２から時刻Ｔ３まで、予め定めた有利演出（例えば演出Ｂ）が実行される。そして、次のステップ４１９に進む。
ステップ４１９において、時刻Ｔ２から時刻Ｔ３の間に、遊技者によるベットスイッチ16の操作があったか否かが判定される。そして、遊技者によるベットスイッチ16の操作が時刻Ｔ２から時刻Ｔ３の間にあったと判定された場合、次のステップ４２０に進む。一方、その操作が無かったと判定された場合、ステップ４２３に進む。
【００８６】
ステップ４２０において、フリーズ制御手段170により、フリーズ時間は、図１６（ｃ）に示すように、時刻Ｔ０から時刻Ｔ４までの延長された時間に設定される。そして、演出制御手段240を介して、表示装置68等により、時刻Ｔ３から時刻Ｔ４まで、予め定めた有利演出（例えば演出Ｃ）が実行される。そして、次のステップ４２１に進む。
ステップ４２１において、時刻Ｔ３から時刻Ｔ４の間に、遊技者によるベットスイッチ16の操作があったか否かが判定される。そして、遊技者によるベットスイッチ16の操作が時刻Ｔ３から時刻Ｔ４の間にあったと判定された場合、次のステップ４２２に進む。一方、その操作が無かったと判定された場合、ステップ４２３に進む。
【００８７】
ステップ４２２において、フリーズ制御手段170により、フリーズ時間は、図１６（ｄ）に示すように、時刻Ｔ０から時刻Ｔ５までの延長された時間に設定される。そして、演出制御手段240を介して、表示装置68等により、時刻Ｔ４から時刻Ｔ５まで、予め定めた有利演出（例えば演出Ｄ）が実行される。なお、時刻Ｔ５は最大限度時間に設定されているものである。そして、次のステップ４２３に進む。
ステップ４２３において、計時手段150によるフリーズ時間の計時処理が終了し、フリーズ演出が終了し、その終了処理が行われる。そして、フリーズ制御手段170によりフリーズ状態が解除される。そして、当該処理が終了する。
【００８８】
その他の構成や、作用及び効果は、第１の実施の形態と同様のものを有し、更に、それらに加えて、本実施の形態では、より段階的に遊技者がフリーズ演出を延長させるか否かを選択することができるという作用及び効果を有する。
本実施の形態によれば、フリーズ時間の延長に行われた演出を見ながら、更にフリーズ時間の延長を行うか否かの判断が可能となり、遊技者により多くの自由度及び選択肢を与えることができる。更に、演出内容も、第２の実施の形態では、延長に係る演出内容は１種類であったが、本実施の形態では、延長に係る演出内容を演出ＡからＢ、Ｃ、Ｄと次々に遊技者に有利な演出内容に進めることができる。これにより、フリーズ時間が延長された演出内容を見て、更に有利な情報を含む演出内容に切り換えるべきか遊技者が判断して、ベットスイッチ16を操作すべきか否かの判断をすることができる。したがって、遊技者は、自己の欲する適格な情報を得ることができた段階でベットスイッチ16の操作をすることを止めれば、フリーズ時間を最大限度時間を経過する前に設定することができ、フリーズ状態を最適な状態で終了させることができ、各遊技者の判断にまかせたフリーズ時間を設定することができる。
【００８９】
（第４の実施の形態）
第３の実施の形態に係る図１６では、フリーズ時間の最低時間中、又は、その延長時間における単位時間中には、ベットスイッチ16による少なくとも１回の操作がおこなわれると延長されている。また、第２の実施の形態では、フリーズ時間の最低時間中における遊技者によるベットスイッチ16の操作回数をカウントして、その操作回数によりフリーズ時間を延長している。本実施の形態では、第３の実施の形態のようにフリーズ時間の延長時間における操作でもフリーズ時間の延長ができるとともに、第２の実施の形態のように、その操作回数に対応してフリーズ時間を延長可能に形成しているものであって、図１８に示すようなものとなる。このように、最低時間中、又は、その延長時間における単位時間中に２回以上の複数回のベットスイッチ16による操作が行われている場合には、かかる操作回数が反映された延長時間及び演出内容にすることができる。具体的には、例えば、図１８（ｂ）では、最低時間中にベットスイッチ16を２回操作することにより、演出Ａを省略して、演出Ｂから開始することができる。また、図１８（ｄ）では、延長時間中にベットスイッチ16を２回操作することにより、演出Ｃを省略して、演出Ｄを実施することができる。これにより、操作回数まで含めて、より遊技者の意思により、フリーズ時間の延長及び演出内容を選択することが可能となり、遊技者の意思を強く反映させることができる遊技者参加型のフリーズ演出を有する遊技を実施することができる。
【００９０】
本実施の形態に係る図１９のフローでは、図１５のフローと比較して、ステップ５２１〜５２３等の内容が主として異なっているもので、その他は、略同一のフローであり、詳細な説明は省略する。以下、主として異なっている箇所を説明する。
ステップ５２１において、最低時間経過後のフリーズ状態となっている有利演出実行中に、遊技者によるベットスイッチ16の次の操作があったか否かが判定されるものである。そして、遊技者によるベットスイッチ16の次の操作が行われていると判定された場合、次のステップ５２２に進む。一方、遊技者によるベットスイッチ16の次の操作が行われていないと判定された場合、ステップ５２４に進む。
【００９１】
なお、ここで、次の操作とは、遊技者によるベットスイッチ16の操作が最低時間経過後に最初に行われた場合（最低時間経過後の第１回目の操作）は、当該最初に行われた操作（最低時間経過後の第１回目の操作）を意味し、遊技者によるベットスイッチ16の操作が最低時間経過後の第１回目の操作後の次に行われた場合（最低時間経過後の第２回目の操作）には、当該第２回目の操作を意味し、遊技者によるベットスイッチ16の操作が最低時間経過後の第Ｎ回目の操作後の次に行われた場合（最低時間経過後の第Ｎ＋１回目の操作）には、当該第Ｎ＋１回目の操作を意味する。
ステップ５２２において、ベットスイッチ16の操作回数Ｎの合計数のカウント処理が行われる。現在の操作回数Ｎに１を加えたＮ＋１を新たな操作回数Ｎとして算出するものである。そして、次のステップ５２３に進む。
【００９２】
ステップ５２３において、フリーズ制御手段170により、最大限度時間を超えない範囲で、新たな操作回数Ｎを用いたフリーズ時間（最低時間＋単位時間ｔ×新たな操作回数Ｎ）が、再度、算出されることになる。そして、次のステップ５２４に進む。
その他の構成や、作用及び効果は、第２の実施の形態と同様のものを有し、更に、それらに加えて、本実施の形態では、最低時間経過後の延長されたフリーズ時間中にも遊技者によるベットスイッチ16の操作を可能にするとともに、その操作回数も更なるフリーズ時間の延長に反映させることで、より段階的に遊技者がフリーズ演出を延長させるか否かを選択することができるとともに、操作回数にも対応して延長や演出が行われ、操作回数に基づく遊技者の意思を強く反映させるという作用及び効果を有する。
【００９３】
上述した第１〜第４の実施の形態において、演出Ｓ、Ａ、Ｂ、Ｃ及びＤの内容は、後の演出ほど、遊技者に有利となるようなものであれば、上述したものに限定されるものではない。具体的には、当選の有無の報知の信頼性が高くなるもの、例えば、正解となる当選役を報知する確率が高くなるもの等でもよい。
上述した第１〜第４の実施の形態において、フリーズ時間中に実行される図１３や、図１４のような演出は、フリーズ時間の単位時間に合わせて、切り換えるように形成されているが、特にこれに限定されるものではない。具体的には、例えば、遊技者に操作されるスイッチ操作の時点をもって、演出内容を切り換える（例えば、演出Ａから演出Ｂへ切り換える）ように形成してもよい。
【符号の説明】
【００９４】
10  遊技機                              13  表示窓
16  ベットスイッチ                      20  制御装置
30  スタートスイッチ                    40  回転リール
68  表示装置                            120  フリーズ演出抽選手段
170  フリーズ制御手段
【図１】
0005285042.tif 000002
【図２】
0005285042.tif 000003
【図３】
0005285042.tif 000004
【図４】
0005285042.tif 000005
【図５】
0005285042.tif 000006
【図６】
0005285042.tif 000007
【図７】
0005285042.tif 000008
【図８】
0005285042.tif 000009
【図９】
0005285042.tif 000010
【図１０】
0005285042.tif 000011
【図１１】
0005285042.tif 000012
【図１２】
0005285042.tif 000013
【図１３】
0005285042.tif 000014
【図１４】
0005285042.tif 000015
【図１５】
0005285042.tif 000016
【図１６】
0005285042.tif 000017
【図１７】
0005285042.tif 000018
【図１８】
0005285042.tif 000019
【図１９】
0005285042.tif 000020